(57)【要約】【課題】空調特性を損ねることなく天井面の汚れを可及的に防止し得る空気調和機を提供する。【解決手段】天井面３０に埋設状態で配置された空気調和機本体１と、下流端を空気吹出口４とした吹出通路７を備え、天井面３０の下面側から取付けられた吹出パネル２を備えた空気調和機において、吹出通路７に空気中の浮遊粒子状物質を捕捉するフィルタ２０を備えることで、空気吹出口４からの吹出気流が上記天井面に衝突したとしても、該吹出気流中の浮遊粒子状物質がフィルタ２０によって捕捉除去されているため、該粒子状物質の天井面３０への衝突に起因する汚れの発生が可及的に防止される。また、室内パネル２に上記天井面１０に沿うように補助気流Ａ０を吹出させる補助空気通路１０を設けるとともに、補助空気通路１０には空気中の浮遊粒子状物質を捕捉するフィルタ２０を備えることで、補助空気通路１０からの補助気流Ａ０によって空気吹出口４からの吹出気流Ａの流速変動が可及的に抑制され、天井面３０の汚れの発生が可及的に抑制される。【選択図】図１
2008232547.tif 000002
【特許請求の範囲】
【請求項１】
天井面（３０）に設けた開口（３１）部分に埋設状態で配置された空気調和機本体（１）と、下流端を空気吹出口（４）とした吹出通路（７）を備え且つ上記空気調和機本体（１）の下端面を覆うように上記天井面（３０）の下面側から取付けられた吹出パネル（２）を備えた空気調和機であって、
上記吹出通路（７）に空気中の浮遊粒子状物質を捕捉するフィルタ（２０）が備えられたことを特徴とする空気調和機。
【請求項２】
天井面（３０）に設けた開口（３１）部分に埋設状態で配置された空気調和機本体（１）と、下流端を空気吹出口（４）とした吹出通路（７）を備え且つ上記空気調和機本体（１）の下端面を覆うように上記天井面（３０）の下面側から取付けられた吹出パネル（２）を備えた空気調和機であって、
上記室内パネル（２）に上記天井面（１０）に沿うように補助気流（Ａ０）を吹出させる補助空気通路（１０）が設けられるとともに、上記補助空気通路（１０）には空気中の浮遊粒子状物質を捕捉するフィルタ（２０）が備えられていることを特徴とする空気調和機。
【請求項３】
請求項２において、
上記補助空気通路（１０）が、上記吹出通路（７）の外周側壁面に沿って設けられていることを特徴とする空気調和機。
【請求項４】
請求項２において、
上記補助空気通路（１０）が、上記吹出通路（７）と上記吹出パネル（２）の外周部に連通して上記天井面（３０）に沿う方向に開口する構成であることを特徴とする空気調和機。
【請求項５】
請求項３又は４において、
上記補助空気通路（１０）の空気入口が上記吹出通路（７）内において空気上流側に指向して開口していることを特徴とする空気調和機。
【請求項６】
請求項２，３，４又は５において、
上記フィルタ（２０）が上記補助空気通路（１０）の空気入口側に設けられていることを特徴とする空気調和機。
【請求項７】
請求項２，３，４又は５において、
上記フィルタ（２０）が上記補助空気通路（１０）の空気出口側に設けられていることを特徴とする空気調和機。
【請求項８】
請求項２，３，４，５，６又は７において、
上記空気吹出口（４）が、正方形の各辺のそれぞれに対応するように配置された四つの直状開口で構成され、該各空気吹出口（４）に連通する上記各吹出通路（７）のそれぞれに上記フィルタ（２０）が備えられた上記補助空気通路（１０）が設けられていることを特徴とする空気調和機。
【請求項９】
請求項８において、
上記各空気吹出口（４）の端部間にこれらを連続させるようにして隅部吹出口（５）が設けられていることを特徴とする空気調和機。
【請求項１０】
請求項８又は９において、
上記補助空気通路（１０）が、上記空気吹出口（４）の幅方向の全域に設けられていることを特徴とする空気調和機。
【請求項１１】
請求項８又は９において、
上記補助空気通路（１０）が、上記空気吹出口（４）の幅方向の両端領域に設けられていることを特徴とする空気調和機。
【請求項１２】
請求項８又は９において、
上記補助空気通路（１０）が、上記空気吹出口（４）の幅方向の中央寄り領域に設けられていることを特徴とする空気調和機。
【発明の詳細な説明】
【技術分野】
【０００１】
本願発明は、天井埋込型の空気調和機に関し、さらに詳しくは係る空気調和機における天井面の汚れを抑制するための空気吹出構造に関するものである。
【背景技術】
【０００２】
天井埋込型の空気調和機は、天井に設けられた開口内へ空気調和機本体を埋め込み状態で取付けるとともに、該空気調和機本体の下端面には天井下面側から空気吸込口を空気吹出口を備えた室内パネルを取付け、上記空気吸込口から吸込まれた室内空気を上記空気調和機本体側において空調空気とした後、上記空気吹出口から室内へ吹出すようになっている。
【０００３】
この場合、通常、上記室内パネルは矩形の平面形体をされ、その中心部分に上記空気吸込口が設けられる一方、上記室内パネルの四辺のそれぞれに対応する位置には、上記空気吸込口の周囲を取り囲むようにして、直状に延びる開口形体をもつ空気吹出口をそれぞれ設けるのが通例である（例えば、特許文献１、特許文献２参照）。
【０００４】
そして、上記空気吹出口からの吹出気流の上下方向における吹出方向は、暖房運転時には空気密度の減少による空気の浮上作用が生じることから、吹出気流の到達距離を稼ぐべく下向き方向に設定され、冷房運転時にはコールドドラフトを防止すべく略水平方向に設定される。
【０００５】
ところで、このような空気吹出構造をもつ天井埋込型の空気調和機においては、特に吹出気流の吹出方向が略水平に設定される冷房運転時に、吹出気流によって天井面に汚れが生じ、しかもその汚れは空気吹出口の両端近傍においては特に強くなることが知られている。
【０００６】
このような吹出気流による天井面の汚れは、空気吹出口から吹出される吹出気流が天井面の近傍の静止状態にある室内空気を巻き込むことで該吹出気流の速度変動が大きくなり、その結果、吹出気流及び室内空気に浮遊状態で含まれている粒子状物質が天井面に衝突する頻度が高くなり、該粒子状物質が次第に該天井面に付着することで発生するものである。
【０００７】
そして、その汚れが特に吹出口の両端近傍において強くなるのは、気吹出口から吹出される吹出気流の周囲は負圧化し気流が乱れるが、該吹出気流に対してその周囲から空気が供給されると気流の乱れが抑制されその流速変動も抑制されるところ、上記空気吹出口の端部寄り部分からの吹出気流ではその周囲からの空気の供給が少ないため気流の乱れが比較的大きく、そのため、周囲からの空気供給が容易に行なわれる空気吹出口の中央寄り部分からの吹出気流よりも、速度変動が大きくなるからである。
【０００８】
このような天井面の汚れを抑制する技術として、特許文献１に開示されるように、天井面に沿う方向の気流を吹出す補助吹出口を設け、該補助吹出口から天井面に沿う方向へ補助気流を吹出させることで、空気吹出口の端部寄り部分から吹出される吹出気流に対して空気を供給し該吹出気流の流速変動を抑制することで天井面の汚れを防止するものとか、特許文献２に開示されるように、空気吹出口に設けられるフラップの形状を工夫して、空気吹出口の端部寄り部分からの吹出気流を天井面から離すことで浮遊粒子状物質の天井面への衝突頻度を低くして天井面の汚れを抑制するものが知られている。
【０００９】
【特許文献１】特開２００１−３０４６７３号公報
【特許文献２】特開平７−３２４８０２号公報。
【発明の開示】
【発明が解決しようとする課題】
【００１０】
ところが、特許文献１に記載の手法では、天井面に沿う補助気流によって空気吹出口からの吹出気流が天井面に衝突するのを抑制することはできるものの、上記補助気流として未空調の空気を吹出すようにしていることから、冷房運転時には、暖かい補助気流が、空気吹出口から吹出される空調後の冷たい吹出気流と混合することで天井面に結露が生じ易くなるという問題があった。
【００１１】
また、特許文献２に記載の手法では、天井面の汚れ抑制効果は得られるものの、冷房運転時におけるコールドドラフトの発生という問題が残ることになる。
【００１２】
さらに、これら特許文献１とか特許文献２に記載の手法を用いても、空気吹出口からの吹出気流が天井面に衝突するのを完全に防止することはできないため、吹出気流中の浮遊粒子状物質の天井面への衝突及びこれによる汚れは少なからず残るものである。
【００１３】
そこで本願発明では、空調特性を損ねることなく天井面の汚れを可及的に防止し得るようにした空気調和機を提供することを目的としてなされたものである。
【課題を解決するための手段】
【００１４】
本願発明ではかかる課題を解決するための具体的手段として次のような構成を採用している。
【００１５】
本願の第１の発明では、天井面３０に設けた開口３１部分に埋設状態で配置された空気調和機本体１と、下流端を空気吹出口４とした吹出通路７を備え且つ上記空気調和機本体１の下端面を覆うように上記天井面３０の下面側から取付けられた吹出パネル２を備えた空気調和機において、上記吹出通路７に空気中の浮遊粒子状物質を捕捉するフィルタ２０を備えたことを特徴としている。
【００１６】
本願の第２の発明では、天井面３０に設けた開口３１部分に埋設状態で配置された空気調和機本体１と、下流端を空気吹出口４とした吹出通路７を備え且つ上記空気調和機本体１の下端面を覆うように上記天井面３０の下面側から取付けられた吹出パネル２を備えた空気調和機において、上記室内パネル２に上記天井面１０に沿うように補助気流Ａ０を吹出させる補助空気通路１０を設けるとともに、上記補助空気通路１０には空気中の浮遊粒子状物質を捕捉するフィルタ２０を備えたことを特徴としている。
【００１７】
本願の第３の発明では、上記第２の発明に係る空気調和機において、上記補助空気通路１０を、上記吹出通路７の外周側壁面に沿って設けたことを特徴としている。
【００１８】
本願の第４の発明では、上記第２の発明に係る空気調和機において、上記補助空気通路１０を、上記吹出通路７と上記吹出パネル２の外周部に連通して上記天井面３０に沿う方向に開口する構成としたことを特徴としている。
【００１９】
本願の第５の発明では、上記第３又は第４の発明に係る空気調和機において、上記補助空気通路１０の空気入口を上記吹出通路７内において空気上流側に指向して開口させたことを特徴としている。
【００２０】
本願の第６の発明では、上記第２、第３、第４又は第５の発明に係る空気調和機において、上記フィルタ２０を上記補助空気通路１０の空気入口側に設けたことを特徴としている。
【００２１】
本願の第７の発明では、上記第２、第３、第４又は第５の発明に係る空気調和機において、上記フィルタ２０を上記補助空気通路１０の空気出口側に設けたことを特徴としている。
【００２２】
本願の第８の発明では、上記第２、第３、第４、第６又は第７の発明に係る空気調和機において、上記空気吹出口４を、正方形の各辺のそれぞれに対応するように配置された四つの直状開口で構成し、該各空気吹出口４に連通する上記各吹出通路７のそれぞれに上記フィルタ２０を備えた上記補助空気通路１０を設けたことを特徴としている。
【００２３】
本願の第９の発明では、上記第８の発明に係る空気調和機において、上記各空気吹出口４の端部間にこれらを連続させるようにして隅部吹出口５を設けたことを特徴としている。
【００２４】
本願の第１０の発明では、上記第８又は第９の発明に係る空気調和機において、上記補助空気通路１０を、上記空気吹出口４の幅方向の全域に設けたことを特徴としている。
【００２５】
本願の第１１の発明では、上記第８又は第９の発明に係る空気調和機において、補助空気通路１０を、上記空気吹出口４の幅方向の両端領域に設けたことを特徴としている。
【００２６】
本願の第１２の発明では、上記第８又は第９の発明に係る空気調和機において、上記補助空気通路１０を、上記空気吹出口４の幅方向の中央寄り領域に設けたことを特徴としている。
【発明の効果】
【００２７】
本願発明では次のような効果が得られる。
【００２８】
（ａ）本願の第１の発明に係る空気調和機によれば、天井面３０に設けた開口３１部分に埋設状態で配置された空気調和機本体１と、下流端を空気吹出口４とした吹出通路７を備え且つ上記空気調和機本体１の下端面を覆うように上記天井面３０の下面側から取付けられた吹出パネル２を備えた空気調和機において、上記吹出通路７に空気中の浮遊粒子状物質を捕捉するフィルタ２０を備えているので、上記空気吹出口４からの吹出気流が上記天井面に衝突したとしても、該吹出気流中の浮遊粒子状物質が上記フィルタ２０によって捕捉除去されているため、該粒子状物質の天井面３０への衝突に起因する汚れの発生が可及的に防止される。
【００２９】
（ｂ）本願の第２の発明に係る空気調和機によれば、天井面３０に設けた開口３１部分に埋設状態で配置された空気調和機本体１と、下流端を空気吹出口４とした吹出通路７を備え且つ上記空気調和機本体１の下端面を覆うように上記天井面３０の下面側から取付けられた吹出パネル２を備えた空気調和機において、上記室内パネル２に上記天井面１０に沿うように補助気流Ａ０を吹出させる補助空気通路１０を設けるとともに、上記補助空気通路１０には空気中の浮遊粒子状物質を捕捉するフィルタ２０を備えているので、上記補助空気通路１０から補助気流Ａ０が上記天井面３０に沿って吹出され、該補助気流Ａ０によって上記空気吹出口４からの吹出気流Ａに対して空気が供給されることで該吹出気流の流速変動が可及的に抑制される。また、上記空気吹出口４からの吹出気流中の浮遊粒子状物質は、上記フィルタ２０によって捕捉除去される。これらの相乗効果によって、上記浮遊粒子状物質の上記天井面３０への衝突に起因する該天井面３０の汚れの発生が可及的に抑制され、高い汚れ防止効果が得られるものである。
【００３０】
（ｃ）本願の第３の発明に係る空気調和機によれば、上記（ｂ）に記載の効果に加えて以下のような特有の効果が得られる。即ち、この発明では、上記補助空気通路１０を、上記吹出通路７の外周側壁面に沿って設けているので、該吹出通路７内を流れる空調空気の一部が上記補助空気通路１０に導入され、該補助空気通路１０から補助気流Ａ０として上記天井面３０に沿って吹出されるため、該補助気流Ａ０が上記空気吹出口４からの吹出気流Ａと混合しても上記天井面３０に結露が生じることがなくなる。
【００３１】
また、上記補助空気通路１０が上記吹出通路７の外周側壁面に沿って設けられているところ、該吹出通路７は下流に向かうに伴って外側へ湾曲する断面形状を備え吹出気流の風量分布は上記外周側壁面近傍においては少ないことからして、上記補助空気通路１０の形成による上記吹出通路７における通風抵抗の増加が可及的に小さく抑えられ、空調特性の維持と天井面３０の汚れの抑制が両立される。
【００３２】
（ｄ）本願の第４の発明に係る空気調和機によれば、上記（ｂ）に記載の効果に加えて以下のような特有の効果が得られる。即ち、この発明では、上記補助空気通路１０を、上記吹出通路７と上記吹出パネル２の外周部に連通して上記天井面３０に沿う方向に開口する構成としているので、該吹出通路７内を流れる空調空気の一部が上記補助空気通路１０に導入され、該補助空気通路１０から補助気流Ａ０として上記天井面３０に沿って吹出されるため、該補助気流Ａ０が上記空気吹出口４からの吹出気流Ａと混合しても上記天井面３０に結露が生じることがなくなる。
【００３３】
また、上記補助空気通路１０が、上記吹出パネル２の外周部に連通して上記天井面３０に沿う方向に開口することから、該補助空気通路１０から吹出される上記補助気流Ａ０は確実に上記天井面３０に沿って流れることとなり、該補助気流Ａ０による上記天井面３０の汚れ抑制作用がより一層確実ならしめられる。
【００３４】
（ｅ）本願の第５の発明に係る空気調和機によれば、上記（ｃ）又は（ｄ）に記載の効果に加えて以下のような特有の効果が得られる。即ち、この発明では、上記補助空気通路１０の空気入口を上記吹出通路７内において空気上流側に指向して開口させているので、上記補助空気通路１０の空気入口部分には上記吹出通路７４内を流れる気流の動圧が作用し該補助空気通路１０への気流の導入が促進されるとともに、この導入促進作用に起因して上記補助空気通路１０の空気入口の開口面積をより小さく設定して該補助空気通路１０の設置に伴う上記吹出通路７における通風抵抗の増加をより小幅に抑えることができる。
【００３５】
（ｆ）本願の第６の発明に係る空気調和機によれば、上記（ｂ）、（ｃ）、（ｄ）又は（ｅ）に記載の効果に加えて以下のような特有の効果が得られる。即ち、この発明では、上記フィルタ２０を上記補助空気通路１０の空気入口側に設けているので、該補助空気通路１０内に導入される空気中の粒子状物質を上記フィルタ２０によって確実に捕捉することができ、上記補助気流Ａ０の清浄化が担保される。
【００３６】
（ｇ）本願の第７の発明に係る空気調和機によれば、上記（ｂ）、（ｃ）、（ｄ）又は（ｅ）に記載の効果に加えて以下のような特有の効果が得られる。即ち、この発明では、上記フィルタ２０を上記補助空気通路１０の空気出口側に設けているので、該フィルタ２０のメンテナンスを、上記室内パネル２を取外すことなく室内側から容易に行なうことができ、メンテナンス性が向上する。
【００３７】
（ｈ）本願の第８の発明に係る空気調和機によれば、上記（ｂ）、（ｃ）、（ｄ）、（ｅ）又は（ｆ）に記載の効果に加えて以下のような特有の効果が得られる。即ち、この発明では、上記空気吹出口４を、正方形の各辺のそれぞれに対応するように配置された四つの直状開口で構成し、該各空気吹出口４に連通する上記各吹出通路７のそれぞれに上記フィルタ２０を備えた上記補助空気通路１０を設けているので、上記空気吹出口４の端部近傍において上記天井面３０の汚れが強くなる構成でありながら、上記フィルタ２０による粒子状物質の捕捉作用と、上記補助空気通路１０からの補助気流Ａ０による上記空気吹出口４からの吹出気流Ａの流速変動の抑制作用の相乗効果によって、天井面３０の汚れ防止が確実ならしめられる。
【００３８】
（ｉ）本願の第９の発明に係る空気調和機によれば、上記（ｈ）に記載の効果に加えて以下のような特有の効果が得られる。即ち、この発明では、上記各空気吹出口４の端部間にこれらを連続させるようにして隅部吹出口５を設けているので、該隅部吹出口５からの吹出気流Ａによって、上記空気吹出口４からの吹出気流Ａに対する空気供給が行なわれ、該吹出気流Ａの流速変動の抑制作用が更に促進され、延いては天井面３０の汚れ防止がより一層確実ならしめられる。
【００３９】
（ｊ）本願の第１０の発明に係る空気調和機によれば、上記（ｈ）又は（ｉ）に記載の効果に加えて以下のような特有の効果が得られる。即ち、この発明では、上記補助空気通路１０を、上記空気吹出口４の幅方向の全域に設けているので、上記天井面３０の汚れ防止作用が上記空気吹出口４に対応する部位の全域で実現され、上記天井面３０の汚れ防止がより確実となる。
【００４０】
（ｋ）本願の第１１の発明に係る空気調和機によれば、上記（ｈ）又は（ｉ）に記載の効果に加えて以下のような特有の効果が得られる。即ち、この発明では、補助空気通路１０を、上記空気吹出口４の幅方向の両端領域に設けているので、最も天井面３０に汚れが生じ易い部分に汚れ防止作用が集中的に働くこととなり、空気調和機全体として高い汚れ防止効果が得られる。
【００４１】
（ｌ）本願の第１２の発明に係る空気調和機によれば、上記（ｈ）又は（ｉ）に記載の効果に加えて以下のような特有の効果が得られる。即ち、この発明では、上記補助空気通路１０を、上記空気吹出口４の幅方向の中央寄り領域に設けているので、上記空気吹出口４の両端部近傍から吹出される吹出気流Ａに対して、該空気吹出口４の中央寄り領域に設けられた上記補助空気通路１０から吹出される補助気流Ａ０によって空気が供給され、上記吹出気流Ａの流速変動が抑制されることで、上記空気吹出口４の両端部近傍における天井面３０の汚れが効果的に防止されることになる。
【発明を実施するための最良の形態】
【００４２】
以下、本願発明を好適な実施形態に基づいて具体的に説明する。
【００４３】
Ｉ：第１の実施形態
図１には本願発明の第１の実施形態に係る天井埋込型の空気調和機Ｚ１の空気吹出口４部分が示されており、また図２には上記空気調和機Ｚ１を室内側から見上げた状態を示している。
【００４４】
この空気調和機Ｚ１は、図１に示すように、天井面３０に設けた開口３１に、該天井面３０の下面側から埋設状態で取付けられた空気調和機本体１と、該空気調和機本体１の下端面に上記天井面３０の下面側から取付けられた室内パネル２を備えている。
【００４５】
上記空気調和機本体１は、下端が開口した矩形箱状形体をもつケーシング１５内に、熱交換器９とファン（図示省略）を収容して構成され、上記ファンにより吸込んだ室内空気を上記熱交換器９において熱交換して空調空気とし、これを該熱交換器９の外側に形成された空気通路６側へ吹出すようになっている。
【００４６】
一方、上記室内パネル２は、図１及び図２に示すように、上記空気調和機本体１の下端面側を覆い得るような大きさの矩形板状形体を有する。そして、上記室内パネル２の中心部分に空気吸込口３を設けるとともに、該空気吸込口３の外側には、該空気吸込口３を取り囲むように上記室内パネル２の各辺のそれぞれに対応させて直状に開口する空気吹出口４を設けている。尚、上記空気吹出口４は、上記室内パネル２の上面側から下面側へ向かうに伴って該室内パネル２の周縁側へ近づくように湾曲形成された吹出通路７の下流端で構成される。
【００４７】
この室内パネル２を上記空気調和機本体１の下端側に取付けた状態においては、図１に示すように、上記空気吸込口３は上記空気調和機本体１側の上記ファンに対向し、また、上記各空気吹出口４は上記各吹出通路７を介して上記空気調和機本体１側の上記空気通路６に連通される。また、上記吹出通路７の上記空気吹出口４の近傍位置には、風向調整用のフラップ８が備えられている。
【００４８】
従って、上記熱交換器９を通過して上記空気通路６内に導入された空調空気は、上記各吹出通路７を通って上記各空気吹出口４から室内へ吹出され、室内の暖房あるいは冷房を行なう。この場合、上記空気吹出口４かたの吹出気流Ａは、上記フラップ８によって、暖房運転時には下方側へ、冷房運転時には上記天井面３０に沿うように上方側へ、それぞれ吹出方向が制御される。
【００４９】
ところで、このように上記各空気吹出口４から空調空気が吹出される場合、特にその吹出気流Ａが上記天井面３０側へ偏向される冷房運転時において、上記天井面３０の下面に汚れが発生することは既述の通りである。そして、係る汚れは、上記空気吹出口４から吹出される吹出気流Ａが天井面３０の近傍の静止状態にある室内空気を巻き込むことで該吹出気流Ａの速度変動が大きくなり、その結果、吹出気流Ａ及び室内空気に浮遊状態で含まれている粒子状物質が天井面に衝突する頻度が高くなり、該粒子状物質が次第に該天井面３０に付着することで発生することも既述の通りである。
【００５０】
さらに、上記天井面３０の汚れは、特に上記空気吹出口４の両端近傍において強くなることが知られており、係る現象は、上記気吹出口４から吹出される吹出気流Ａの周囲は負圧化し気流が乱れるが、該吹出気流Ａに対してその周囲から空気が供給されると気流の乱れが抑制されその流速変動も抑制されるところ、上記空気吹出口４の端部寄り部分からの吹出気流Ａではその周囲からの空気の供給が少ないため気流の乱れが比較的大きく、その速度変動が上記空気吹出口４の中央寄り部分からの吹出気流Ａよりも大きくなるためであることも既述の通りである。
【００５１】
そこで、この実施形態では、天井面３０の汚れの発生原因のうち、特に空気中の浮遊粒子状物質の存在に着目し、上記空気吹出口４からの吹出気流Ａ中における粒子状物質の浮遊量を可及的に減らせることで上記汚れの発生を防止せんとするものである。
【００５２】
そして、そのための具体的手段として、図１に示すように、上記吹出通路７にフィルタ２０を配置し、上記空気通路６から上記吹出通路７側へ吹出される空気中に浮遊している粒子状物質を上記フィルタ２０によって捕捉除去し、粒子状物質の浮遊量が可及的に減少した極めて清浄な空気を上記空気吹出口４から吹出気流Ａとして室内へ吹出すようにしたものである。従って、例え、上記吹出気流Ａが天井面３０の近傍の静止状態にある室内空気を巻き込んでその流速変動が大きくなったとしても、汚れの直接的な因子である粒子状物質の浮遊量が少ないため、上記天井面３０の汚れの発生が可及的に防止されるものである。
【００５３】
また、このように上記吹出通路７に上記フィルタ２０を配置する場合における配置構成に関しては、以下に説明する四つの配置構成を提案する。
【００５４】
第１の配置構成は、図２に示すように、上記空気吹出口４の幅方向の両端部近傍に対応する部分のみに上記フィルタ２０を配置する構成である。
【００５５】
係る配置構成によれば、上記空気吹出口４の幅方向中央寄り部分から吹出される吹出気流Ａ１は浮遊粒子状物質が除去されていないが、該空気吹出口４の幅方向両端部寄り部分から吹出される吹出気流Ａ２は上記フィルタ２０によって浮遊粒子状物質が除去されている。従って、上記天井面３０のうち、上記空気吹出口４の幅方向両端部に対応する部分は吹出気流の流速変動が最も発生し易く、汚れも最も発生し易い部分であるが、ここからの吹出気流Ａ２には粒子状物質が殆ど含まれていないので、天井面３０の汚れは最小限に維持される。また、上記空気吹出口４の幅方向中央寄りに対応する部分では、元々吹出気流の流速変動が少ない領域で、汚れも比較的発生しにくく部分であるため、ここからの吹出気流Ａ１に粒子状物質が含まれていても天井面３０にさほど汚れは発生しない。
【００５６】
これらの相乗効果として、天井面３０に汚れを発生させることの少ない空気調和機Ｚ１を提供することができる。
【００５７】
第２の配置構成は、図３に示すように、上記フィルタ２０を上記空気吹出口４の幅方向の全域に対応するようにして配置したものである。係る配置構成によれば、上記空気吹出口４の幅方向中央寄り部分から吹出される吹出気流Ａ１においても、幅方向両端部寄り部分から吹出される吹出気流Ａ２においても、共に気流中に粒子状物質が殆ど存在しないことから、たとえ上記各気流Ａ１，Ａ２に流速変動があっても、天井面３０の汚れは極めて少なく抑えられ、その結果、天井面３０に汚れを発生させることの少ない空気調和機Ｚ１を提供することができる。
【００５８】
第３の配置構成は、図４に示すように、上記フィルタ２０を上記空気吹出口４の幅方向の中央寄り部分に対応するようにして配置したものである。係る配置構成によれば、上記空気吹出口４の両端部近傍から吹出される吹出気流Ａ２は、該空気吹出口４の中央寄り部分から吹出される吹出気流Ａ１からの空気の供給によってその流速変動が抑制されしかもこの供給される空気中には浮遊粒子状物質が殆ど含まれていないことから、上記天井面３０の上記空気吹出口４の両端部近傍に対応する部分における汚れの発生が可及的に防止され、また上記３０の上記空気吹出口４の中央寄り部分に対応する部分においては、ここから噴出される吹出気流Ａ１が元々浮遊粒子状物質を殆ど含まないことから汚れの発生が少なく、これらの相乗効果として、天井面３０に汚れを発生させることの少ない空気調和機Ｚ１を提供することができる。
【００５９】
第４の配置構成は、図５に示すように、上記各空気吹出口４の端部間に隅部吹出口５を備えた所謂ダウンフロータイプの吹出口構造をもつものに、上記第１の配置構成を適用してものである。このダウンフロータイプの吹出口構造をもつ空気調和機においては、上記隅部吹出口５からの吹出風量は上記各空気吹出口４の吹出風量に比して、少なく設定されており、従って、この隅部吹出口５の上流側に連続する吹出通路（図示省略）に上記フィルタ２０を設けなくても、該隅部吹出口５からの吹出気流Ａ３による上記天井面３０の汚れは少ないことに加えて、該隅部吹出口５からの吹出気流Ａ３も、該空気吹出口４の中央寄りから吹出される吹出気流Ａ１と同様に、上記空気吹出口４の端部寄りから吹出される吹出気流Ａ２への空気供給源となることから、該吹出気流Ａ２の流速変動が更に抑制され、上記天井面３０の上記空気吹出口４の中央寄り部分に対応する部分における汚れ抑制作用がより一層促進され、これらの相乗効果として、天井面３０に汚れを発生させることの少ないダウンフロータイプの吹出口構造をもつ空気調和機を提供することができる。
【００６０】
尚、ここではダウンフロータイプの吹出口構造をもつ空気調和機に上記第１の配置構成を適用したものについて説明したが、これに限らず、上記第２あるいは第３の配置構成を適用した場合においても、天井面３０に汚れを発生させることの少ないダウンフロータイプの吹出口構造をもつ空気調和機を提供することができることは言うまでもない。
【００６１】
ＩＩ：第２の実施形態
図６には本願発明の第２の実施形態に係る天井埋込型の空気調和機Ｚ２の空気吹出口４部分が示されており、また図７には上記空気調和機Ｚ２を室内側から見上げた状態を示している。
【００６２】
この空気調和機Ｚ２は、図６に示すように、天井面３０に設けた開口３１に、該天井面３０の下面側から埋設状態で取付けられた空気調和機本体１と、該空気調和機本体１の下端面に上記天井面３０の下面側から取付けられた室内パネル２を備えて構成され、その基本構成は、上記第１の実施形態に係る空気調和機Ｚ１の場合と同じであって、これと異なる点は、上記第１の実施形態の空気調和機Ｚ１においては上記吹出通路７に直接上記フィルタ２０を配置していたのに対して、この実施形態の空気調和機Ｚ２では上記吹出通路７内に補助空気通路１０を形成し、この補助空気通路１０内に上記フィルタ２０を配置した点である。
【００６３】
従って、上記図６及び図７の各構成部材に、図１及び図２の各構成部材に対応させて同一符号を付し、該第１の実施形態における該当説明を援用することで、ここでの説明を省略し、以下においては、上記相違点を中心に説明する。
【００６４】
この実施形態では、天井面３０の汚れの発生原因、即ち、吹出気流及び室内空気中の浮遊粒子状物質の存在と、吹出気流の流速変動による浮遊粒子状物質の天井面３０への衝突頻度の増大、の双方を考慮して、上記天井面３０の汚れを可及的に防止せんとするものである。
【００６５】
そして、そのための具体的手段として、図６に示すように、上記吹出通路７の外周側の壁面に沿わせて設けた通路壁１１によって補助空気通路１０を形成し、該補助空気通路１０を通して、上記天井面３０に沿う方向へ向けて補助気流Ａ０を吹出させるとともに、上記補助空気通路１０の空気入口１０ａ部分にフィルタ２０を配置し、該フィルタ２０によって上記補助空気通路１０内を流れる空気中の浮遊粒子状物質を捕捉除去し、粒子状物質の浮遊量が可及的に減少した極めて清浄な空気を上記補助空気通路１０の空気出口１０ｂから室内へ吹出すようにしたものである。
【００６６】
このような構成とすることで、上記補助空気通路１０から補助気流Ａ０が上記天井面３０に沿って吹出され、該補助気流Ａ０によって上記空気吹出口４からの吹出気流Ａに対して空気が供給されることで該吹出気流の流速変動が可及的に抑制されるとともに、上記空気吹出口４からの吹出気流中の浮遊粒子状物質は、上記フィルタ２０によって捕捉除去される。これらの相乗効果によって、上記浮遊粒子状物質の上記天井面３０への衝突に起因する該天井面３０の汚れの発生が可及的に抑制され、高い汚れ防止効果をもつ空気調和機Ｚ２が得られるものである。
【００６７】
また、上記補助空気通路１０を、上記吹出通路７の外周側壁面に沿って設けているので、該吹出通路７内を流れる空調空気の一部が上記補助空気通路１０に導入され、該補助空気通路１０から補助気流Ａ０として上記天井面３０に沿って吹出されるため、該補助気流Ａ０が上記空気吹出口４からの吹出気流Ａと混合しても上記天井面３０に結露が生じることがなく、結露防止効果の高い空気調和機Ｚ２が得られる。
【００６８】
さらに、この空気調和機Ｚ２では、上記補助空気通路１０が上記吹出通路７の外周側壁面に沿って設けられているが、該吹出通路７は下流に向かうに伴って外側へ湾曲する断面形状を備え吹出気流の風量分布は上記外周側壁面近傍においては少ないことからして、上記補助空気通路１０の形成による上記吹出通路７における通風抵抗の増加が可及的に小さく抑えられ、空調特性の維持と天井面３０の汚れの抑制が両立される。
【００６９】
また、この場合、上記補助空気通路１０の空気入口１０ａを上記吹出通路７内において空気上流側に指向して開口させているので、上記補助空気通路１０の空気入口１０ａ部分には上記吹出通路７４内を流れる気流の動圧が作用し該補助空気通路１０への気流の導入が促進されるとともに、この導入促進作用に起因して上記補助空気通路１０の空気入口１０ａの開口面積をより小さく設定して該補助空気通路１０の設置に伴う上記吹出通路７における通風抵抗の増加をより小幅に抑えることができる。
【００７０】
また、この実施形態では、上記フィルタ２０を上記補助空気通路１０の空気入口１０ａ側に設けているので、該補助空気通路１０内に導入される空気中の粒子状物質を上記フィルタ２０によって確実に捕捉することができ、上記補助気流Ａ０の清浄化が担保される。尚、上記フィルタ２０を上記補助空気通路１０の空気入口１０ａ側に設けるのに代えて、例えば、上記フィルタ２０を上記補助空気通路１０の空気出口１０ｂ側に設けることもんできる。係る構成によれば、上記フィルタ２０のメンテナンスを、上記室内パネル２を取外すことなく室内側から容易に行なうことができ、メンテナンス性が向上するという利点がある。
【００７１】
続いて、上述のように上記吹出通路７に上記フィルタ２０を備えた上記補助空気通路１０を配置する場合における配置構成に関しては、以下に説明する四つの配置構成を提案する。
【００７２】
第１の配置構成は、図７に示すように、四つの吹出通路７のそれぞれに、その幅方向の両端部に位置するようにして上記フィルタ２０を備えた上記補助空気通路１０を配置するものである。
【００７３】
係る配置構成によれば、上記吹出通路７を通って上記空気吹出口４の幅方向中央寄り部分から吹出される吹出気流Ａ１及び幅方向両端部寄り部分から吹出される吹出気流Ａ２は共に浮遊粒子状物質が除去されていないが、上記補助空気通路１０を通って上記空気吹出口４の幅方向両端部寄り部分から吹出される補助気流Ａ０は上記フィルタ２０によって浮遊粒子状物質が除去されている。
【００７４】
そして、上記天井面３０のうち、上記空気吹出口４の幅方向両端部に対応する部分は吹出気流の流速変動が最も発生し易く、汚れも最も発生し易い部分であるが、ここからの吹出気流Ａ２は上記補助空気通路１０を通って吹出される上記補助気流Ａ０から空気が供給されることでその流速変動が可及的に抑制されること、及び上記補助気流Ａ０には浮遊粒子状物質が殆ど含まれておらず、これが室内空気とともに上記吹出気流Ａ２に巻き込まれても全体としての粒子状物質の浮遊量は少なく抑えられること、これらの相乗効果として、天井面３０に汚れを発生させることの少ない空気調和機Ｚ２を提供することができる。
【００７５】
第２の配置構成は、図８に示すように、四つの吹出通路７のそれぞれに上記補助空気通路１０を、該吹出通路７の幅方向の全域に亘って配置し、且つ該補助空気通路１０の空気入口１０ａ側に上記フィルタ２０を配置させたものである。
【００７６】
係る配置構成によれば、上記吹出通路７を通って上記空気吹出口４の幅方向の中央寄り及び両端寄りからそれぞれ吹出される吹出気流Ａ１及び吹出気流Ａ２は共に浮遊粒子状物質を含み且つその流速変動が大きくなり易いところ、これら各吹出気流Ａ１、Ａ２には上記補助空気通路１０を通って上記空気吹出口４の幅方向の全域から上記天井面３０に沿う方向へ向けて吹出される補助気流Ａ０によって空気が供給されその流速変動が可及的に抑制されること、また上記補助気流Ａ０には浮遊粒子状物質が殆ど含まれておらず、これが室内空気とともに上記吹出気流Ａ２に巻き込まれても全体としての粒子状物質の浮遊量は少なく抑えられること、これらの相乗効果として、天井面３０に汚れを発生させることの少ない空気調和機Ｚ２を提供することができる。
【００７７】
第３の配置構成は、図９に示すように、四つの吹出通路７のそれぞれに上記補助空気通路１０を、該吹出通路７の幅方向の中央寄りに位置するようにして配置し、これら各補助空気通路１０の空気入口１０ａ側に上記フィルタ２０を配置したものである。
【００７８】
係る配置構成によれば、上記吹出通路７を通って上記空気吹出口４の幅方向の中央寄り及び両端寄りからそれぞれ吹出される吹出気流Ａ１及び吹出気流Ａ２は共に浮遊粒子状物質を含むものの、上記補助空気通路１０を通って上記空気吹出口４の幅方向中央寄り部分から上記天井面３０に沿う方向へ向けて吹出される補助気流Ａ０によって空気が供給されその流速変動が可及的に抑制されること、また上記補助気流Ａ０には浮遊粒子状物質が殆ど含まれておらず、これが室内空気とともに上記吹出気流Ａ２に巻き込まれても全体としての粒子状物質の浮遊量は少なく抑えられること、これらの相乗効果として、天井面３０に汚れを発生させることの少ない空気調和機Ｚ２を提供することができる。
【００７９】
第４の配置構成は、図１０に示すように、上記各空気吹出口４の端部間に隅部吹出口５を備えた所謂ダウンフロータイプの吹出口構造をもつものに、上記第１の配置構成を適用してものである。このダウンフロータイプの吹出口構造をもつ空気調和機においては、上記隅部吹出口５からの吹出風量は上記各空気吹出口４の吹出風量に比して、少なく設定されており、従って、この隅部吹出口５の上流側に連続する吹出通路（図示省略）に上記フィルタ２０を設けなくても、該隅部吹出口５からの吹出気流Ａ３による上記天井面３０の汚れは少ないことに加えて、該隅部吹出口５からの吹出気流Ａ３も、上記補助空気通路１０を通って上記空気吹出口４の幅方向両端寄り部分から吹出される補助気流Ａ０と同様に、上記吹出通路７を通って上記空気吹出口４の端部寄りから吹出される吹出気流Ａ２への空気供給源となることから、該吹出気流Ａ２の流速変動が更に抑制され、上記天井面３０の上記空気吹出口４の中央寄り部分に対応する部分における汚れ抑制作用がより一層促進され、これらの相乗効果として、天井面３０に汚れを発生させることの少ないダウンフロータイプの吹出口構造をもつ空気調和機Ｚ２を提供することができる。
【００８０】
尚、ここではダウンフロータイプの吹出口構造をもつ空気調和機に上記第１の配置構成を適用したものについて説明したが、これに限らず、上記第２あるいは第３の配置構成を適用した場合においても、天井面３０に汚れを発生させることの少ないダウンフロータイプの吹出口構造をもつ空気調和機を提供することができることは言うまでもない。
【００８１】
ＩＩＩ：第３の実施形態
図１１には本願発明の第３の実施形態に係る天井埋込型の空気調和機Ｚ３の空気吹出口４部分が示されており、また図１２には上記空気調和機Ｚ３を室内側から見上げた状態を示している。
【００８２】
この空気調和機Ｚ３は、図１１に示すように、天井面３０に設けた開口３１に、該天井面３０の下面側から埋設状態で取付けられた空気調和機本体１と、該空気調和機本体１の下端面に上記天井面３０の下面側から取付けられた室内パネル２を備えて構成され、その基本構成は、上記第２の実施形態に係る空気調和機Ｚ２の場合と同じであって、これと異なる点は、上記第２の実施形態の空気調和機Ｚ２においては上記補助空気通路１０の空気出口１０ａを上記空気吹出口４部分に開口させていたのに対して、この実施形態では上記補助空気通路１０の空気出口１０ａを上記室内パネル２の外周縁に開口させた点である。
【００８３】
従って、図１１及び図１２の各構成部材に、図６及び図７の各構成部材に対応させて同一符号を付すとともに、第２の実施形態では第１の実施形態の説明を援用していることから、上記第１の実施形態における該当説明を援用するものとし、ここでの説明を省略し、以下においては、上記相違点を中心に説明する。
【００８４】
この実施形態では、上記第２の実施形態と同様に、天井面３０の汚れの発生原因、即ち、吹出気流及び室内空気中の浮遊粒子状物質の存在と、吹出気流の流速変動による浮遊粒子状物質の天井面３０への衝突頻度の増大、の双方を考慮して、上記天井面３０の汚れを可及的に防止せんとするものである。
【００８５】
そして、そのための具体的手段として、図１１に示すように、上記補助空気通路１０を上記吹出通路７と上記室内パネル２の外周縁の間に跨って形成し、且つその空気入口１０ａを上記吹出通路７の外周壁寄り位置で上流側に向けて開口させ、また空気出口１０ｂを上記室内パネル２の外周縁において上記天井面３０の面方向に沿うように略水平方向に向けて開口させることで、上記吹出通路７内を流れる空気の一部を上記補助空気通路１０内に導入し、これを補助気流Ａ０として上記補助空気通路１０の空気出口１０ｂから上記天井面３０に沿う方向へ向けて吹出させるとともに、上記補助空気通路１０の空気入口１０ａ側に上記フィルタ２０を配置し、該フィルタ２０によって上記補助空気通路１０内を流れる空気中の浮遊粒子状物質を捕捉除去し、粒子状物質の浮遊量が可及的に減少した極めて清浄な空気を上記補助空気通路１０の空気出口１０ｂから室内へ吹出すようにしたものである。
【００８６】
このような構成とすることで、上記補助空気通路１０から補助気流Ａ０が上記天井面３０に沿って吹出され、該補助気流Ａ０によって上記空気吹出口４からの吹出気流Ａに対して空気が供給されることで該吹出気流の流速変動が可及的に抑制されるとともに、上記空気吹出口４からの吹出気流中の浮遊粒子状物質は、上記フィルタ２０によって捕捉除去される。これらの相乗効果によって、上記浮遊粒子状物質の上記天井面３０への衝突に起因する該天井面３０の汚れの発生が可及的に抑制され、高い汚れ防止効果をもつ空気調和機Ｚ３が得られるものである。
【００８７】
そして、この場合、上記補助空気通路１０が、上記吹出パネル２の外周部に連通して上記天井面３０に沿う方向に開口することから、該補助空気通路１０から吹出される上記補助気流Ａ０は確実に上記天井面３０に沿って流れることとなり、該補助気流Ａ０による上記天井面３０の汚れ抑制作用がより一層確実ならしめられる。
【００８８】
また、上記補助空気通路１０の空気入口１０ａ部分を上記吹出通路７の外周側壁面に沿って設けているので、該吹出通路７内を流れる空調空気の一部が上記補助空気通路１０に導入され、該補助空気通路１０から補助気流Ａ０として上記天井面３０に沿って吹出されるため、該補助気流Ａ０が上記空気吹出口４からの吹出気流Ａと混合しても上記天井面３０に結露が生じることがなく、結露防止効果の高い空気調和機Ｚ３が得られる。
【００８９】
この場合、上記補助空気通路１０の空気入口１０ａを上記吹出通路７内において空気上流側に指向して開口させているので、上記補助空気通路１０の空気入口１０ａ部分には上記吹出通路７４内を流れる気流の動圧が作用し該補助空気通路１０への気流の導入が促進されるとともに、この導入促進作用に起因して上記補助空気通路１０の空気入口１０ａの開口面積をより小さく設定して該補助空気通路１０の設置に伴う上記吹出通路７における通風抵抗の増加をより小幅に抑えることができる。
【００９０】
また、この実施形態では、上記フィルタ２０を上記補助空気通路１０の空気入口１０ａ側に設けているので、該補助空気通路１０内に導入される空気中の粒子状物質を上記フィルタ２０によって確実に捕捉することができ、上記補助気流Ａ０の清浄化が担保される。尚、上記フィルタ２０を上記補助空気通路１０の空気入口１０ａ側に設けるのに代えて、例えば、上記フィルタ２０を上記補助空気通路１０の空気出口１０ｂ側に設けることもんできる。係る構成によれば、上記フィルタ２０のメンテナンスを、上記室内パネル２を取外すことなく室内側から容易に行なうことができ、メンテナンス性が向上するという利点がある。
【００９１】
続いて、上述のように上記吹出通路７と上記室内パネル２の外周縁の間に跨って上記フィルタ２０を備えた上記補助空気通路１０を配置する場合における配置構成に関しては、以下に説明する四つの配置構成を提案する。
【００９２】
第１の配置構成は、図１２に示すように、四つの吹出通路７のそれぞれに、その幅方向の両端部に位置するようにして上記フィルタ２０を備えた上記補助空気通路１０を配置ｓ、側補助空気通路１０の空気出口１０ｂを上記室内パネル２の外周縁に開口させたものである。
【００９３】
係る配置構成によれば、上記吹出通路７を通って上記空気吹出口４の幅方向中央寄り部分から吹出される吹出気流Ａ１及び幅方向両端部寄り部分から吹出される吹出気流Ａ２は共に浮遊粒子状物質が除去されていないが、上記補助空気通路１０を通って上記室内パネル２の外周縁部分から吹出される補助気流Ａ０は上記フィルタ２０によって浮遊粒子状物質が除去されている。
【００９４】
そして、上記天井面３０のうち、上記空気吹出口４の幅方向両端部に対応する部分は吹出気流の流速変動が最も発生し易く、汚れも最も発生し易い部分であるが、ここからの吹出気流Ａ２は、上記補助空気通路１０を通って吹出される上記補助気流Ａ０から空気が供給されることでその流速変動が可及的に抑制されること、及び上記補助気流Ａ０には浮遊粒子状物質が殆ど含まれておらず、これが室内空気とともに上記吹出気流Ａ２に巻き込まれても全体としての粒子状物質の浮遊量は少なく抑えられること、これらの相乗効果として、天井面３０に汚れを発生させることの少ない空気調和機Ｚ３を提供することができる。
【００９５】
第２の配置構成は、図１３に示すように、四つの吹出通路７のそれぞれに上記補助空気通路１０を、該吹出通路７の幅方向の全域に亘って配置し、その空気出口１０ｂを上記室内パネル２の外周縁に開口させるとともに、該補助空気通路１０の空気入口１０ａ側に上記フィルタ２０を配置させたものである。
【００９６】
係る配置構成によれば、上記吹出通路７を通って上記空気吹出口４の幅方向の中央寄り及び両端寄りからそれぞれ吹出される吹出気流Ａ１及び吹出気流Ａ２は共に浮遊粒子状物質を含み且つその流速変動が大きくなり易いところ、これら各吹出気流Ａ１、Ａ２には上記補助空気通路１０を通って上記室内パネル２の外周縁側の空気出口１０ｂから上記天井面３０に沿う方向へ向けて吹出される補助気流Ａ０によって空気が供給されその流速変動が可及的に抑制されること、また上記補助気流Ａ０には浮遊粒子状物質が殆ど含まれておらず、これが室内空気とともに上記吹出気流Ａ２に巻き込まれても全体としての粒子状物質の浮遊量は少なく抑えられること、これらの相乗効果として、天井面３０に汚れを発生させることの少ない空気調和機Ｚ３を提供することができる。
【００９７】
第３の配置構成は、図１４に示すように、四つの吹出通路７のそれぞれに上記補助空気通路１０を、該吹出通路７の幅方向の中央寄りに位置するようにして配置し、その空気出口１０ｂを上記室内パネル２の外周縁に開口させるとともに、その空気入口１０ａ側に上記フィルタ２０を配置したものである。
【００９８】
係る配置構成によれば、上記吹出通路７を通って上記空気吹出口４の幅方向の中央寄り及び両端寄りからそれぞれ吹出される吹出気流Ａ１及び吹出気流Ａ２は共に浮遊粒子状物質を含むものの、上記補助空気通路１０を通って上記空気吹出口４の幅方向中央寄り部分から上記天井面３０に沿う方向へ向けて吹出される補助気流Ａ０によって空気が供給されその流速変動が可及的に抑制されること、また上記補助気流Ａ０には浮遊粒子状物質が殆ど含まれておらず、これが室内空気とともに上記吹出気流Ａ２に巻き込まれても全体としての粒子状物質の浮遊量は少なく抑えられること、これらの相乗効果として、天井面３０に汚れを発生させることの少ない空気調和機Ｚ３を提供することができる。
【００９９】
第４の配置構成は、図１５に示すように、上記各空気吹出口４の端部間に隅部吹出口５を備えた所謂ダウンフロータイプの吹出口構造をもつものに、上記第１の配置構成を適用してものである。このダウンフロータイプの吹出口構造をもつ空気調和機においては、上記隅部吹出口５からの吹出風量は上記各空気吹出口４の吹出風量に比して、少なく設定されており、従って、この隅部吹出口５の上流側に連続する吹出通路（図示省略）に上記フィルタ２０を設けなくても、該隅部吹出口５からの吹出気流Ａ３による上記天井面３０の汚れは少ないことに加えて、該隅部吹出口５からの吹出気流Ａ３も、上記補助空気通路１０を通って上記室内パネル２の外周縁側から吹出される補助気流Ａ０と同様に、上記吹出通路７を通って上記空気吹出口４の端部寄りから吹出される吹出気流Ａ２への空気供給源となることから、該吹出気流Ａ２の流速変動が更に抑制され、上記天井面３０の上記空気吹出口４の中央寄り部分に対応する部分における汚れ抑制作用がより一層促進され、これらの相乗効果として、天井面３０に汚れを発生させることの少ないダウンフロータイプの吹出口構造をもつ空気調和機を提供することができる。
【０１００】
尚、ここではダウンフロータイプの吹出口構造をもつ空気調和機に上記第１の配置構成を適用したものについて説明したが、これに限らず、上記第２あるいは第３の配置構成を適用した場合においても、天井面３０に汚れを発生させることの少ないダウンフロータイプの吹出口構造をもつ空気調和機を提供することができることは言うまでもない。
【図面の簡単な説明】
【０１０１】
【図１】本願発明の第１の実施の形態に係る空気調和機の吹出口部分の断面図である。
【図２】図１に示した空気調和機における第１の吹出パターンを示す見上図である。
【図３】図１に示した空気調和機における第２の吹出パターンを示す見上図である。
【図４】図１に示した空気調和機における第３の吹出パターンを示す見上図である。
【図５】図１に示した空気調和機における第４の吹出パターンを示す見上図である。
【図６】本願発明の第２の実施の形態に係る空気調和機の吹出口部分の断面図である。
【図７】図６に示した空気調和機における第１の吹出パターンを示す見上図である。
【図８】図６に示した空気調和機における第２の吹出パターンを示す見上図である。
【図９】図６に示した空気調和機における第３の吹出パターンを示す見上図である。
【図１０】図６に示した空気調和機における第４の吹出パターンを示す見上図である。
【図１１】本願発明の第３の実施の形態に係る空気調和機の吹出口部分の断面図である。
【図１２】図１２に示した空気調和機における第１の吹出パターンを示す見上図である。
【図１３】図１２に示した空気調和機における第２の吹出パターンを示す見上図である。
【図１４】図１２に示した空気調和機における第３の吹出パターンを示す見上図である。
【図１５】図１２に示した空気調和機における第４の吹出パターンを示す見上図である。
【符号の説明】
【０１０２】
１      ・・空気調和機本体
２      ・・室内パネル
３      ・・空気吸込口
４      ・・空気吹出口
５      ・・隅部吹出口
６      ・・空気通路
７      ・・吹出通路
８      ・・フラップ
９      ・・熱交換器
１０    ・・補助空気通路
１１    ・・通路壁
１５    ・・ケーシング
２０    ・・フィルタ
３０    ・・天井面
３１    ・・開口
Ｚ    ・・空気調和機
【図１】
2008232547.tif 000003
【図２】
2008232547.tif 000004
【図３】
2008232547.tif 000005
【図４】
2008232547.tif 000006
【図５】
2008232547.tif 000007
【図６】
2008232547.tif 000008
【図７】
2008232547.tif 000009
【図８】
2008232547.tif 000010
【図９】
2008232547.tif 000011
【図１０】
2008232547.tif 000012
【図１１】
2008232547.tif 000013
【図１２】
2008232547.tif 000014
【図１３】
2008232547.tif 000015
【図１４】
2008232547.tif 000016
【図１５】
2008232547.tif 000017